(57)【要約】  【課題】虚像式車両用メータにおいて干渉作用を利用して虚像文字に立体感を与えて視認性を向上させる。  【解決手段】車両状態に関連する変量を文字表示光により文字表示するメータ本体１５と、文字表示光を反射する反射ミラー２０とを備え、その正面でメータ本体１５の文字を虚像文字として視認させる。メータ本体が複数のスペクトルを有する文字表示光を発光すると共に、反射ミラー２０が、文字表示光の入射光の一部を反射するハーフミラー２０と、文字表示光の入射光の一部に対して干渉作用を呈する干渉層２３とを成層して形成され、反射層２３の反射による虚像文字の周辺に、干渉層２３の反射により文字表示光と別色の陰影が形成される。  【選択図】図１
2005145267.tif 000002
【特許請求の範囲】
【請求項１】
車両状態に関連する変量を文字表示光により文字表示するメータ本体と、文字表示光を反射する反射ミラーとを備え、反射ミラーの正面でメータ本体の文字を虚像文字として視認させるようになった虚像式車両用メータにおいて、
メータ本体が複数のスペクトルを有する文字表示光を発光すると共に、反射ミラーが、前記文字表示光の入射光の一部を反射する反射層と、前記文字表示光の入射光の一部に対して干渉作用を呈する干渉層とを成層して形成され、前記反射層の反射による虚像文字の周辺に、前記干渉層の反射により前記文字表示光と別色の陰影が形成されることを特徴とする虚像式車両用メータ。
【請求項２】
反射層がハーフミラーであり、このハーフミラーの裏面に干渉層が成層されたことを特徴とする請求項１記載の虚像式車両用メータ。
【請求項３】
反射層が透明板であり、この透明板の裏面に干渉層が成層され、前記透明板の屈折率を前記裏面で入射光の一部が反射されるように設定されていることを特徴とする請求項１記載の虚像式車両用メータ。
【請求項４】
干渉層の裏面に、この干渉層を透光した入射光の一部を反射するミラー層が反射層として形成されたことを特徴とする請求項１記載の虚像式車両用メータ。
【請求項５】
干渉層の裏面に、ミラー層が形成されたことを特徴とする請求項２又は請求項３記載の虚像式車両用メータ。
【請求項６】
文字表示光が白色光であることを特徴とする請求項１乃至請求項５のいずれか記載の虚像式車両用メータ。
【発明の詳細な説明】
【技術分野】
【０００１】
本発明は、車両状態に関連する変量を発光により表示部に文字表示するメータ本体と、その表示部を反射する反射ミラーとを備え、反射ミラーの正面で表示部の虚像文字を視認させるようになった虚像式車両用メータに関するものである。
【背景技術】
【０００２】
特許文献１には、蛍光表示管を用いて、奥行き感を持たせて必要な表示輝度を達成するために、虚像用光源からの表示光を反射面で虚像表示し、かつ反射面内部に設置された実像用光源によって照射された反射面上の表示パターンによる実像表示と重ねて奥行き感を持って視認させる車両用表示装置において、虚像用光源と反射面との間に、虚像用光源である蛍光表示管の発する光の波長帯から緑域を回折によって取り除くホログラム色フィルタを配置し、表示色を白色に変化させる車両用表示装置が開示されている。
【０００３】
一方、特許文献２，３等により、光波長の１／４の整数倍の厚みの透光層により入射光に対して干渉作用を備えて別の色を発光させる干渉コーティング若しくはフィルム等が周知であり、さらに特許文献４によれば入射光に対して同様にパール顔料による干渉により多色性を呈するフィルム、特許文献５により複数の透光層を重ねることにより、虹色の干渉模様を発生する多層フィルムも提案されている。
【特許文献１】特開平７−２５１６５３号公報
【特許文献２】特開平８−３３２４５０号公報
【特許文献３】特開２００３−６６２２１号公報
【特許文献４】特開２０００−１５８６００号公報
【特許文献５】特開２００２−２３４０９６号公報
【発明の開示】
【発明が解決しようとする課題】
【０００４】
本発明は、別光源を要するホログラム等の複雑な構成に依ることなく、干渉作用を利用して虚像文字に立体感を与えて視認性を向上させる虚像式車両用メータを提供することを目的とする。
【課題を解決するための手段】
【０００５】
本発明は、この目的を達成するために、請求項１により、車両状態に関連する変量を文字表示光により文字表示するメータ本体と、文字表示光を反射する反射ミラーとを備え、反射ミラーの正面でメータ本体の文字を虚像文字として視認させるようになった虚像式車両用メータにおいて、メータ本体が複数のスペクトルを有する文字表示光を発光すると共に、反射ミラーが、文字表示光の入射光の一部を反射する反射層と、文字表示光の入射光の一部に対して干渉作用を呈する干渉層とを成層して形成され、反射層の反射による虚像文字の周辺に、干渉層の反射により文字表示光と別色の陰影が形成されることを特徴とする。
【０００６】
干渉層が入射光のスペクトルに色消しを行って干渉色の文字表示光を反射することにより、反射層で反射された虚像文字の周辺に文字表示光と別色の陰影が付されてメータ正面で視認される。その際、請求項２の発明により、反射層がハーフミラーであり、このハーフミラーの裏面に干渉層が成層されるか、請求項３の発明により、反射層が透明板であり、この透明板の裏面に干渉層が成層され、透明板の屈折率を裏面で入射光の一部が反射されるように設定されているか、或は請求項４の発明により、干渉層の裏面に、この干渉層を透光した入射光の一部を反射するミラー層が反射層として形成される。虚像文字の輝度を向上させるには、請求項５の発明により、干渉層の裏面に、ミラー層が形成される。文字表示光と陰影とのコントラストを鮮明にするには、請求項６の発明により、文字表示光が白色光である。
【発明の効果】
【０００７】
請求項１の発明によれば、別光源を用いることなく簡単な構成で虚像表示されたメータの文字に陰影を付けることにより、立体感も得られて視認性が向上し、見栄えも向上する。その際、請求項２乃至請求項５の発明によれば、反射ミラーが、ハーフミラー、屈折率を設定した透明板、干渉層裏面のミラー層等で多様に形成される。請求項６の発明によれば、文字表示光と陰影とのコントラストが容易に確保される。
【発明を実施するための最良の形態】
【０００８】
図１乃至図３を基に本発明の実施の形態による虚像式車両用メータを説明する。図１において、虚像式車両用メータは、自動車のインストルメントパネル１に収納され、ケース１１の正面に取り付けられた正面グラス１２に対向して斜め下向きに傾斜した反射ミラー２０が配置され、正面グラス１２の下側には、反射ミラー２０に正面グラス１２へ反射させるように斜め上向きに対向して、車両状態に関連する変量を白色発光で表示部１５ａに文字表示するメータ本体１５が配置されている。
【０００９】
反射ミラー２０は、メータ本体１５からの白色の文字表示光を所定の比率で反射して残りを透光し、かつ背後からの入射光を透光するハーフミラー２１と、その裏面に成層され、入射する文字表示光に対して１／４波長の整数倍に相当する厚みに応じて干渉作用を呈する干渉層２２と、その裏面に成層されたミラー層２３とから形成されている。
【００１０】
干渉層２２は、部分的に透光しつつ例えば赤、オレンジ、黄、緑系の相対的に長い光波長を相殺するように、それぞれ屈折率及び厚みが設定された４層のコーティングが順に蒸着により形成されている。
【００１１】
このように構成された虚像式車両用メータの動作を図２及び図３を参照して説明する。メータ本体１５の表示部１５ａの白色の数値及び付記文字の文字表示光が、ハーフミラー２１でその反射率に対応して一部が反射されると共に、その透過光は干渉層２２へ入射し、順に屈折及び反射・透光を行いつつ透光し、最終的な残光はミラー層２３で正面へ反射される。その過程で４層のコーティングにより、順に一部反射を行いつつ互いに異なる波長のスペクトルに対する干渉作用により、色消しが行われる。これにより、前述の長波長領域のスペクトルを消した干渉色は、表示部１５ａの文字表示光が斜め下方から入射することにより、虚像数値２５の文字表示光に対して僅かに上側にずれて反射される。したがって、ハーフミラー２１で反射された虚像数値２５の文字表示光に対して、干渉層２２で反射された干渉色が、僅かに上側にずれて重ねられ、余色である青もしくは紫系の陰影２６が付される。
【００１２】
尚、メータ本体の文字表示光は白色に限らず、複数のスペクトルが混合した複数色光の場合でも、その選択したスペクトルに干渉作用を呈するコーティングを成層することにより陰影を付けることができる。また、ハーフミラーの厚み及び屈折率を利用して特定の１種類のスペクトルを干渉させる干渉層として兼用することもできる。さらに、干渉層としては、それ自体周知の粒子を配合した虹色もしくは真珠光沢を与えるフィルム等を用いることも考えられ、これにより多色性の干渉により、その乱反射で文字表示光の周囲全域に陰影が形成される。
【００１３】
図４は別の実施の形態による反射ミラーを示すもので、基板としての透明板２７と、この透明板の裏面に成層され、かつその透光した文字表示光の入射光に対して干渉作用を呈する長波長領域に干渉作用を呈する例えば２層の干渉層２８と、この干渉層の背面に形成されたミラー層２３とで形成されている。文字表示光に対して干渉層２８で反射された短波長領域の干渉色が、この干渉層を透光してミラー層２３で反射された干渉作用を受けない文字表示光による虚像文字に対して、その僅かに下側にずれて陰影が重ねられる。
【００１４】
さらに、透明板２７の屈折率を干渉層２８に対して、その境界面で部分的に反射されるように相対的に小さく設定することにより、透明板の裏面で入射光の一部が反射させることも考えられる。この場合に、残光を反射するミラー層２３は必要により廃止することができる。
【図面の簡単な説明】
【００１５】
【図１】本発明の実施の形態による虚像式車両用メータの断面図である。
【図２】同メータ正面で視認されるメータ本体の写像を示す図である。
【図３】同メータの干渉作用を説明する図である。
【図４】別の実施の形態による反射ミラーの部分断面図である。
【符号の説明】
【００１６】
１５  メータ本体
２０  反射ミラー
２１  ハーフミラー
２２，２８  干渉層
２３  ミラー層
２７  透明板
【図１】
2005145267.tif 000003
【図２】
2005145267.tif 000004
【図３】
2005145267.tif 000005
【図４】
2005145267.tif 000006